(57)【要約】【課題】  デフォッガ熱線を有する窓ガラスにアナログ・テレビ放送受信用アンテナとディジタル・テレビ放送受信用アンテナとが干渉せずに設置されたガラスアンテナを提供すること。【解決手段】  車両において、デフォッガ熱線が形成された窓ガラスに形成される車両用ガラスアンテナにおいて、アナログ・テレビ放送受信用アンテナをデフォッガ熱線をアンテナ素子として利用して形成し、ディジタル・テレビ放送受信用アンテナをデフォッガ熱線が形成されていない余白部分に形成する。【選択図】  図１
2005191906.tif 000002
【特許請求の範囲】
【請求項１】
車両において、デフォッガ熱線が形成された窓ガラスに形成される車両用ガラスアンテナであって、
アナログ・テレビ放送受信用アンテナが、前記デフォッガ熱線をアンテナ素子として利用して形成され、
ディジタル・テレビ放送受信用アンテナが、前記デフォッガ熱線が形成されていない余白部分に形成される、ことを特徴とする車両用ガラスアンテナ。
【請求項２】
請求項１記載の車両用ガラスアンテナであって、
別のアナログ・テレビ放送受信用アンテナが、前記余白部分のうち、前記ディジタル・テレビ放送受信用アンテナが形成された部分からできる限り離れた部分に形成される、ことを特徴とする車両用ガラスアンテナ。
【請求項３】
請求項２記載の車両用ガラスアンテナであって、
前記ディジタル・テレビ放送受信用アンテナは、前記デフォッガ熱線より上部の余白部分に形成され、
前記別のアナログ・テレビ放送受信用アンテナは、前記デフォッガ熱線より下部の余白部分に形成される、ことを特徴とする車両用ガラスアンテナ。
【発明の詳細な説明】
【技術分野】
【０００１】
本発明は、概して、車両において窓ガラスに形成されるガラスアンテナに係り、特に、デフォッガ熱線をアナログ・テレビ放送受信用アンテナとして利用すると共に、デフォッガ余白部分にディジタル・テレビ放送受信用アンテナを配設した車両用ガラスアンテナに関する。
【背景技術】
【０００２】
車両において、窓ガラスに熱線（ヒート線）を配し、これに直流電流を流して発熱させることにより窓ガラスに付着した水蒸気による曇りを取り、視界を確保する曇り取り装置（いわゆるデフォッガ）が周知である。
【０００３】
また、車両用の通信アンテナとして、窓ガラス（典型的にはリア・ウィンドウ）に薄く略平坦な導体パターンを配設し、これを車載のラジオやテレビ用のアンテナとして用いるいわゆるガラスアンテナも周知である。
【０００４】
従来、デフォッガ熱線をアンテナ素子として利用すると共に、余白部分にもアンテナ素子を配設することによって、ＦＭラジオ放送波からテレビ放送波までの広帯域受信を図るガラスアンテナが提案されている（例えば、特許文献１及び２参照。）。
【特許文献１】特開平８−２０４４２２号公報
【特許文献２】特開平８−３１６７１８号公報
【発明の開示】
【発明が解決しようとする課題】
【０００５】
ところで、今日、日本においても地上波ディジタル・テレビ放送が開始され、車両などの移動体でディジタル・テレビを受信するためのアンテナの開発も進められている。
【０００６】
従来のアナログ・テレビ放送ではＵＨＦ帯及びＶＨＦ帯が用いられているが、ディジタル・テレビ放送ではＵＨＦ帯のみが用いられる。したがって、アナログ・テレビ放送受信用アンテナとディジタル・テレビ放送受信用アンテナとは、理想的には一波長以上離して設置されるのが好ましく、実際、家庭などの固定局での受信では、両アンテナは通常一波長以上離して設置される。
【０００７】
しかしながら、上記特許文献１及び２に記載された従来のガラスアンテナは、ディジタル・テレビ放送の受信が考慮されておらず、ガラス上にディジタル・テレビ放送受信用アンテナを設置する十分なスペースがない。仮に設置できたとしても、アナログ・テレビ放送受信用アンテナと近接しているため、干渉が生じ得る。
【０００８】
２０１１年にアナログ・テレビ放送が終了するまではアナログ・テレビ放送及びディジタル・テレビ放送のいずれに対しても受信のニーズがあると考えられるが、アナログ・テレビ放送受信用アンテナのみのガラスアンテナと、ディジタル・テレビ放送受信用アンテナのみのガラスアンテナとを開発・生産（又は交換）することは、車両製造メーカにとっては効率が悪く、負担が大きい。
【０００９】
したがって、そのような事態を回避するために、単体で、アナログ及びディジタルの両テレビ放送が干渉することなく受信可能で、「アナログ・テレビ放送のみ受信」、「ディジタル・テレビ放送のみ受信」、及び、「アナログ／ディジタル両テレビ放送を受信」の３仕様に対応し得るガラスアンテナが必要とされている。
【００１０】
本発明はこのような課題を解決するためのものであり、デフォッガ熱線を有する窓ガラスにアナログ・テレビ放送受信用アンテナとディジタル・テレビ放送受信用アンテナとが干渉せずに設置されたガラスアンテナを提供することを主たる目的とする。
【課題を解決するための手段】
【００１１】
上記目的を達成するための本発明の一態様は、車両において、デフォッガ熱線が形成された窓ガラスに形成される車両用ガラスアンテナであって、アナログ・テレビ放送受信用アンテナが、上記デフォッガ熱線をアンテナ素子として利用して形成され、ディジタル・テレビ放送受信用アンテナが、上記デフォッガ熱線が形成されていない余白部分に形成される、車両用ガラスアンテナである。
【００１２】
この一態様によれば、車両用ガラスアンテナにおいて、デフォッガ熱線によりアナログ・テレビ放送受信用アンテナを実現することによって、アナログ・テレビ放送受信用アンテナ（＝デフォッガ）以外の余白部分が多く作り出されるため、アナログ・テレビ放送受信用アンテナ（＝デフォッガ）からできる限り離してディジタル・テレビ放送受信用アンテナを設置することが可能になる。
【００１３】
なお、この一態様において、別のアナログ・テレビ放送受信用アンテナが、上記余白部分のうち、上記ディジタル・テレビ放送受信用アンテナが形成された部分（例えば、上記デフォッガ熱線より上部の余白部分）からできる限り離れた部分（例えば、上記デフォッガ熱線より下部の余白部分）に形成されてもよい。
【発明の効果】
【００１４】
本発明によれば、デフォッガ熱線を有する窓ガラスにアナログ・テレビ放送受信用アンテナとディジタル・テレビ放送受信用アンテナとが干渉せずに設置されたガラスアンテナを提供することができる。
【発明を実施するための最良の形態】
【００１５】
以下、本発明を実施するための最良の形態について、添付図面を参照しながら実施例を挙げて説明する。なお、車両用ガラスアンテナの基本概念、主要なハードウェア構成、作動原理、及び基本的な制御手法等については当業者には既知であるため、詳しい説明を省略する。
【実施例】
【００１６】
図１を用いて、本発明の一実施例に係る車両用ガラスアンテナの概略構成を説明する。図１は、本実施例に係るガラスアンテナの一例を示す概略構成図である。
【００１７】
ガラスアンテナ１００には、複数のデフォッガ熱線（ヒート線）１０１が水平方向に平行に配設されている。図示した一例では、アナログ・テレビ放送受信用アンテナ１、３、及び４（アナログＴＶ１、３、及び４）が、デフォッガ熱線１０１とガラス面上に形成された導体パターンを共有している。
【００１８】
一般的に、車両のリアガラスの横幅の略全幅をアナログ・テレビ放送樹受信用アンテナのアンテナ素子に利用すると、アナログ・テレビ放送のＶＨＦ帯の受信に特に適したアンテナ特性が得られることがわかっている。
【００１９】
したがって、アナログ・テレビ放送受信用アンテナ１、３、及び４は、デフォッガ熱線１０１を直接アンテナ素子として利用して、アナログ・テレビ放送受信用アンテナとして機能し得る。
【００２０】
他方、ディジタル・テレビ放送受信用アンテナは、デフォッガ部上部の余白部分（すなわち、デフォッガ熱線１０１が形成されていない領域）に形成される。図示する一例では、２つのディジタル・テレビ放送受信用アンテナ１及び２（ディジタルＴＶ１、及び、ディジタルＴＶ２）が設置されている。本実施例では、アナログ・テレビ放送受信用アンテナがデフォッガ熱線１０１により構成されるため、このようなデフォッガ部以外の余白部分が比較的多く存在する。このディジタル・テレビ放送受信用アンテナには、ループ・アンテナなどあらゆる任意の種類のアンテナを用いることができる。
【００２１】
また、既述のように、ディジタル・テレビ放送受信用アンテナと、アナログ・テレビ放送受信用アンテナとはできる限り離して設置されるべきであるため、ディジタル・テレビ放送受信用アンテナ１及び２は、デフォッガ部（より具体的には、一番上のデフォッガ熱線）からできる限り離して設置される。
【００２２】
このように、本実施例によれば、車両用ガラスアンテナにおいて、デフォッガ熱線によりアナログ・テレビ放送受信用アンテナを実現することによって、アナログ・テレビ放送受信用アンテナ（＝デフォッガ部）以外の余白部分を多く作り出し、アナログ・テレビ放送受信用アンテナ（＝デフォッガ部）に近接しない位置にディジタル・テレビ放送受信用アンテナを設置することが可能になる。
【００２３】
なお、本実施例では、ディジタル・テレビ放送受信用アンテナをデフォッガ上辺余白部に設置する場合について述べたが、デフォッガ部からできる限り離されて設置される限り、設置場所は上部余白部分に限られない。ただし、受信感度等のアンテナ特性を考えると、リアガラス内のできる限り上部の方がディジタル・テレビ放送受信用アンテナの設置場所としては好ましい場合が多いと考えられる。
【００２４】
また、本実施例は、デフォッガ熱線１０１を利用しない独立したアナログ・テレビ放送受信用アンテナの存在を否定するものではなく、例えば、図示する一例のように、デフォッガ余白部分に独立したアナログ・テレビ放送受信用アンテナ（アナログＴＶ２）を設置してもよい。
【００２５】
この場合、上述の干渉の観点から、図示する一例のように、ディジタル・テレビ放送受信用アンテナをデフォッガ上辺余白部に設置した場合、独立アナログ・テレビ放送受信用アンテナは、ディジタル・テレビ放送受信用アンテナからできる限り離して設置するために、デフォッガ部を挟んで反対側のデフォッガ下辺余白部に設置されることが好ましい。
【００２６】
さらに、本実施例において、デフォッガ上辺余白部には、ディジタル・テレビ放送受信用アンテナに加えて、ＡＭラジオ又はＦＭラジオ受信用のアンテナが設置されてもよい。
【産業上の利用可能性】
【００２７】
本発明は、車両用ガラスアンテナに利用できる。車両の外観、重量、サイズ、走行性能等は問わない。
【図面の簡単な説明】
【００２８】
【図１】本発明の一実施例に係るガラスアンテナの一例を示す概略構成図である。
【符号の説明】
【００２９】
１００  ガラスアンテナ
１０１  デフォッガ熱線
【図１】
2005191906.tif 000003